(57)【特許請求の範囲】
【請求項１】
ネットワークに接続可能な接続対象カラオケ装置、接続対象外カラオケ装置、リモコン装置を有するカラオケシステムにおいて、
接続対象カラオケ装置は、第１の無線通信を行う無線受信手段と、第２の無線通信を行うアクセスポイントと、有線通信を行うネットワーク手段と、第１制御手段と、を備え、
接続対象外カラオケ装置は、第２の無線通信を行うアクセスポイントと、有線通信を行うネットワーク手段と、第２制御手段と、を備え、
リモコン装置は、第１の無線通信を行う無線送信手段と、第２の無線通信を行う無線通信手段と、第３制御手段を含み、
無線受信手段は、無線送信手段からの送信信号を受信可能とし、
無線通信手段は、アクセスポイントの何れかと無線接続可能とし、
接続対象カラオケ装置の第１制御手段は、
無線受信手段から対応付け指示を受信した場合、対応付け指示に対応するリモコン装置が、接続対象カラオケ装置のアクセスポイントを介して無線接続されているか否かを確認し、
リモコン装置が無線接続されている場合、リモコン装置に対して対応付け応答を送信し、
リモコン装置が無線接続されていない場合、有線通信を行うネットワーク手段を介して接続対象外カラオケ装置に、対応付け指示に対応するリモコン装置が無線接続されているかを問い合わせる探索指示を送信し、
接続対象外カラオケ装置の第２制御手段は、
有線通信を行うネットワーク手段を介して、探索指示を受信した場合、対応付け指示に対応するリモコン装置が接続対象外カラオケ装置のアクセスポイントを介して無線接続されているか否かを確認し、当該リモコン装置が無線接続されている場合、当該リモコン装置に解除指示を送信し、
リモコン装置の第３制御手段は、
接続対象カラオケ装置に対して、無線送信手段にてリモコン識別情報を含む対応付け指示を送信し、
接続対象カラオケ装置から対応付け応答を受信した場合、接続対象カラオケ装置との対応付けを実行し、
接続対象外カラオケ装置から解除指示を受信した場合、無線通信手段によるアクセスポイントとの無線接続を解除して他のアクセスポイントに無線接続することを特徴とする
カラオケシステム。
【請求項２】
接続対象外カラオケ装置の第２制御手段は、当該リモコン装置が無線接続されている場合、探索指示を送信した接続対象カラオケ装置に対して、探索完了通知を送信することを特徴とする
請求項１に記載のカラオケシステム。
【請求項３】
接続対象カラオケ装置の第１制御手段は、探索指示に自己の装置識別情報を含めて送信し、
接続対象外カラオケ装置の第２制御手段は、解除指示に接続対象カラオケ装置の装置識別情報を含めて送信し、
リモコン装置の第３制御手段は、解除指示を受信した場合、無線通信手段によるアクセスポイントとの無線接続を解除して、解除指示に含まれる装置識別情報に対応する接続対象カラオケ装置に無線接続することを特徴とする
請求項１または請求項２に記載のカラオケシステム。
【請求項４】
接続対象カラオケ装置、接続対象外カラオケ装置にネットワークを介して接続可能なリモコン装置において、
接続対象カラオケ装置は、第１の無線通信を行う無線受信手段と、第２の無線通信を行うアクセスポイントと、有線通信を行うネットワーク手段と、第１制御手段と、を備え、
接続対象外カラオケ装置は、第２の無線通信を行うアクセスポイントと、有線通信を行うネットワーク手段と、第２制御手段と、を備え、
リモコン装置は、第１の無線通信を行う無線送信手段と、第２の無線通信を行う無線通信手段と、第３制御手段を含み、
無線受信手段は、無線送信手段からの送信信号を受信可能とし、
無線通信手段は、アクセスポイントの何れかと無線接続可能とし、
接続対象カラオケ装置の第１制御手段は、
無線受信手段から対応付け指示を受信した場合、対応付け指示に対応するリモコン装置が、接続対象カラオケ装置のアクセスポイントを介して無線接続されているか否かを確認し、
リモコン装置が無線接続されている場合、リモコン装置に対して対応付け応答を送信し、
リモコン装置が無線接続されていない場合、有線通信を行うネットワーク手段を介して接続対象外カラオケ装置に、対応付け指示に対応するリモコン装置が無線接続されているかを問い合わせる探索指示を送信し、
接続対象外カラオケ装置の第２制御手段は、
有線通信を行うネットワーク手段を介して、探索指示を受信した場合、対応付け指示に対応するリモコン装置が接続対象外カラオケ装置のアクセスポイントを介して無線接続されているか否かを確認し、当該リモコン装置が無線接続されている場合、当該リモコン装置に解除指示を送信し、
リモコン装置の第３制御手段は、
接続対象カラオケ装置に対して、無線送信手段にてリモコン識別情報を含む対応付け指示を送信し、
接続対象カラオケ装置から対応付け応答を受信した場合、接続対象カラオケ装置との対応付けを実行し、
接続対象外カラオケ装置から解除指示を受信した場合、無線通信手段によるアクセスポイントとの無線接続を解除して他のアクセスポイントに無線接続することを特徴とする
リモコン装置。
【請求項５】
接続対象外カラオケ装置、リモコン装置にネットワークを介して接続可能なカラオケ装置において、
カラオケ装置は、第１の無線通信を行う無線受信手段と、第２の無線通信を行うアクセスポイントと、有線通信を行うネットワーク手段と、第１制御手段と、を備え、
接続対象外カラオケ装置は、第２の無線通信を行うアクセスポイントと、有線通信を行うネットワーク手段と、第２制御手段と、を備え、
リモコン装置は、第１の無線通信を行う無線送信手段と、第２の無線通信を行う無線通信手段と、第３制御手段を含み、
無線受信手段は、無線送信手段からの送信信号を受信可能とし、
無線通信手段は、アクセスポイントの何れかと無線接続可能とし、
カラオケ装置の第１制御手段は、
無線受信手段から対応付け指示を受信した場合、対応付け指示に対応するリモコン装置が、カラオケ装置のアクセスポイントを介して無線接続されているか否かを確認し、
リモコン装置が無線接続されている場合、リモコン装置に対して対応付け応答を送信し、
リモコン装置が無線接続されていない場合、有線通信を行うネットワーク手段を介して接続対象外カラオケ装置に、対応付け指示に対応するリモコン装置が無線接続されているかを問い合わせる探索指示を送信し、
接続対象外カラオケ装置の第２制御手段は、
有線通信を行うネットワーク手段を介して、探索指示を受信した場合、対応付け指示に対応するリモコン装置が接続対象外カラオケ装置のアクセスポイントを介して無線接続されているか否かを確認し、当該リモコン装置が無線接続されている場合、当該リモコン装置に解除指示を送信し、
リモコン装置の第３制御手段は、
カラオケ装置に対して、無線送信手段にてリモコン識別情報を含む対応付け指示を送信し、
カラオケ装置から対応付け応答を受信した場合、カラオケ装置との対応付けを実行し、
接続対象外カラオケ装置から解除指示を受信した場合、無線通信手段によるアクセスポイントとの無線接続を解除して他のアクセスポイントに無線接続することを特徴とする
カラオケ装置。
【発明の詳細な説明】
【技術分野】
【０００１】
本発明は、ネットワークで接続されたカラオケ装置を含むカラオケシステムに関するものであり、特に、カラオケ装置が備えるアクセスポイントに無線接続可能なリモコン装置を含むカラオケシステムに関する。
【背景技術】
【０００２】
カラオケボックス、あるいは、スナックなどのナイト店に設置されるカラオケシステムは、情報通信の普及、並びに、ハードディスクの大容量化に伴い飛躍的にその収録曲数を増加させてきた。近年では１台のカラオケ装置において１０万曲以上の楽曲を収録し、演奏を行うことが可能である。
【０００３】
近年では、インターネットによる情報通信の大容量化、高速化、そして、情報処理機能の高速化によりさらなる機能付加が行われている。例えば、ユーザー認証を行うことで個々の顧客に応じた情報を提供したり、ユーザーの歌唱の様子を録画し、インターネット上で公開するなど、幅広いサービスを行うことが可能となっている。
【０００４】
各種店舗にて、このようなサービスを提供する場合、店舗内に設置された通信ネットワーク（ＬＡＮ）が用いられる。現在、この通信ネットワークには、カラオケ装置（コマンダとも呼ばれる）のみならず、カラオケ装置に対して演奏する楽曲を指定（予約）したり、前述したようなサービスを受けるための指示を発するリモコン装置も接続されている。リモコン装置では、バッテリーで駆動すると共に、ネットワークへ無線接続されることでユーザーに対する操作性の向上が図られている。
【０００５】
特許文献１には、このようなリモコン装置を無線でネットワークに接続するカラオケ用無線通信システムが開示されている。リモコン装置は、カラオケ装置が有する電波通信Ｉ／Ｆと無線通信することで、リモコン装置からの選曲入力を受けてカラオケ装置に送信する等、相互の情報のやりとりを実行可能としている。
【先行技術文献】
【特許文献】
【０００６】
【特許文献１】特開２００９−１８１０２０公報
【発明の概要】
【発明が解決しようとする課題】
【０００７】
近年、カラオケ無線通信システムでは、カラオケ装置に電波通信Ｉ／Ｆ（アクセスポイント）を内蔵させることが考えられている。アクセスポイントが、カラオケ装置に内蔵されることで、リモコン装置とカラオケ装置間で通信を行うネットワークを構築する際、別途、ネットワーク上にアクセスポイントを設置する必要が無い。
【０００８】
このようにカラオケ装置にアクセスポイントを内蔵することで、スナックなどのナイト店などの１室で使用する小規模な環境、例えば、カラオケ装置１台とリモコン１台の組み合わせでは、カラオケ装置の外部に別途、アクセスポイントを設置する必要が無く、装置数の削減を図ることが可能となる。一方、カラオケボックスなど、複数のカラオケルームを使用する環境、例えば、複数のカラオケ装置を扱う店舗では、アクセスポイントを内蔵したカラオケ装置を設置すると、カラオケ装置の台数分のアクセスポイントが存在することとなる。無線ＬＡＮでは、一般的に電波強度の強いビーコン信号を受信したアクセスポイントに無線接続することが通常である。そのため、アクセスポイントを内蔵したカラオ
ケ装置が複数存在する環境下では、電波状態によって、特定のアクセスポイントを内蔵したカラオケ装置に無線接続が集中することが考えられる。このような無線接続状態では、本来、特定のカラオケ装置と通信すべき、特定のカラオケ装置のリモコンの通信速度が、他のリモコンと無線接続が生じているために、低下するなどの問題が発生する。
【課題を解決するための手段】
【０００９】
このような課題を解決するため、本発明に係るカラオケシステム、リモコン装置、カラオケ装置は以下の構成を採用するものである。
【００１０】
本実施形態のカラオケシステムは、
ネットワークに接続可能な接続対象カラオケ装置、接続対象外カラオケ装置、リモコン装置を有するカラオケシステムにおいて、
接続対象カラオケ装置は、第１の無線通信を行う無線受信手段と、第２の無線通信を行うアクセスポイントと、有線通信を行うネットワーク手段と、第１制御手段と、を備え、
接続対象外カラオケ装置は、第２の無線通信を行うアクセスポイントと、有線通信を行うネットワーク手段と、第２制御手段と、を備え、
リモコン装置は、第１の無線通信を行う無線送信手段と、第２の無線通信を行う無線通信手段と、第３制御手段を含み、
無線受信手段は、無線送信手段からの送信信号を受信可能とし、
無線通信手段は、アクセスポイントの何れかと無線接続可能とし、
接続対象カラオケ装置の第１制御手段は、
無線受信手段から対応付け指示を受信した場合、対応付け指示に対応するリモコン装置が、接続対象カラオケ装置のアクセスポイントを介して無線接続されているか否かを確認し、
リモコン装置が無線接続されている場合、リモコン装置に対して対応付け応答を送信し、
リモコン装置が無線接続されていない場合、有線通信を行うネットワーク手段を介して接続対象外カラオケ装置に、対応付け指示に対応するリモコン装置が無線接続されているかを問い合わせる探索指示を送信し、
接続対象外カラオケ装置の第２制御手段は、
有線通信を行うネットワーク手段を介して、探索指示を受信した場合、対応付け指示に対応するリモコン装置が接続対象外カラオケ装置のアクセスポイントを介して無線接続されているか否かを確認し、当該リモコン装置が無線接続されている場合、当該リモコン装置に解除指示を送信し、
リモコン装置の第３制御手段は、
接続対象カラオケ装置に対して、無線送信手段にてリモコン識別情報を含む対応付け指示を送信し、
接続対象カラオケ装置から対応付け応答を受信した場合、接続対象カラオケ装置との対応付けを実行し、
接続対象外カラオケ装置から解除指示を受信した場合、無線通信手段によるアクセスポイントとの無線接続を解除して他のアクセスポイントに無線接続することを特徴とする。
【００１１】
さらに本発明に係るカラオケシステムにおいて、
接続対象外カラオケ装置の第２制御手段は、当該リモコン装置が無線接続されている場合、探索指示を送信した接続対象カラオケ装置に対して、探索完了通知を送信することを特徴とする。
【００１２】
さらに本発明に係るカラオケシステムにおいて、
接続対象カラオケ装置の第１制御手段は、探索指示に自己の装置識別情報を含めて送信
し、
接続対象外カラオケ装置の第２制御手段は、解除指示に接続対象カラオケ装置の装置識別情報を含めて送信し、
リモコン装置の第３制御手段は、解除指示を受信した場合、無線通信手段によるアクセスポイントとの無線接続を解除して、解除指示に含まれる装置識別情報に対応する接続対象カラオケ装置に無線接続することを特徴とする。
【００１３】
また本発明に係るリモコン装置は、
接続対象カラオケ装置、接続対象外カラオケ装置にネットワークを介して接続可能なリモコン装置において、
接続対象カラオケ装置は、第１の無線通信を行う無線受信手段と、第２の無線通信を行うアクセスポイントと、有線通信を行うネットワーク手段と、第１制御手段と、を備え、
接続対象外カラオケ装置は、第２の無線通信を行うアクセスポイントと、有線通信を行うネットワーク手段と、第２制御手段と、を備え、
リモコン装置は、第１の無線通信を行う無線送信手段と、第２の無線通信を行う無線通信手段と、第３制御手段を含み、
無線受信手段は、無線送信手段からの送信信号を受信可能とし、
無線通信手段は、アクセスポイントの何れかと無線接続可能とし、
接続対象カラオケ装置の第１制御手段は、
無線受信手段から対応付け指示を受信した場合、対応付け指示に対応するリモコン装置が、接続対象カラオケ装置のアクセスポイントを介して無線接続されているか否かを確認し、
リモコン装置が無線接続されている場合、リモコン装置に対して対応付け応答を送信し、
リモコン装置が無線接続されていない場合、有線通信を行うネットワーク手段を介して接続対象外カラオケ装置に、対応付け指示に対応するリモコン装置が無線接続されているかを問い合わせる探索指示を送信し、
接続対象外カラオケ装置の第２制御手段は、
有線通信を行うネットワーク手段を介して、探索指示を受信した場合、対応付け指示に対応するリモコン装置が接続対象外カラオケ装置のアクセスポイントを介して無線接続されているか否かを確認し、当該リモコン装置が無線接続されている場合、当該リモコン装置に解除指示を送信し、
リモコン装置の第３制御手段は、
接続対象カラオケ装置に対して、無線送信手段にてリモコン識別情報を含む対応付け指示を送信し、
接続対象カラオケ装置から対応付け応答を受信した場合、接続対象カラオケ装置との対応付けを実行し、
接続対象外カラオケ装置から解除指示を受信した場合、無線通信手段によるアクセスポイントとの無線接続を解除して他のアクセスポイントに無線接続することを特徴とする
【００１４】
また本発明に係るカラオケ装置は、
接続対象外カラオケ装置、リモコン装置にネットワークを介して接続可能なカラオケ装置において、
カラオケ装置は、第１の無線通信を行う無線受信手段と、第２の無線通信を行うアクセスポイントと、有線通信を行うネットワーク手段と、第１制御手段と、を備え、
接続対象外カラオケ装置は、第２の無線通信を行うアクセスポイントと、有線通信を行うネットワーク手段と、第２制御手段と、を備え、
リモコン装置は、第１の無線通信を行う無線送信手段と、第２の無線通信を行う無線通信手段と、第３制御手段を含み、
無線受信手段は、無線送信手段からの送信信号を受信可能とし、
無線通信手段は、アクセスポイントの何れかと無線接続可能とし、
カラオケ装置の第１制御手段は、
無線受信手段から対応付け指示を受信した場合、対応付け指示に対応するリモコン装置が、カラオケ装置のアクセスポイントを介して無線接続されているか否かを確認し、
リモコン装置が無線接続されている場合、リモコン装置に対して対応付け応答を送信し、
リモコン装置が無線接続されていない場合、有線通信を行うネットワーク手段を介して接続対象外カラオケ装置に、対応付け指示に対応するリモコン装置が無線接続されているかを問い合わせる探索指示を送信し、
接続対象外カラオケ装置の第２制御手段は、
有線通信を行うネットワーク手段を介して、探索指示を受信した場合、対応付け指示に対応するリモコン装置が接続対象外カラオケ装置のアクセスポイントを介して無線接続されているか否かを確認し、当該リモコン装置が無線接続されている場合、当該リモコン装置に解除指示を送信し、
リモコン装置の第３制御手段は、
カラオケ装置に対して、無線送信手段にてリモコン識別情報を含む対応付け指示を送信し、
カラオケ装置から対応付け応答を受信した場合、カラオケ装置との対応付けを実行し、
接続対象外カラオケ装置から解除指示を受信した場合、無線通信手段によるアクセスポイントとの無線接続を解除して他のアクセスポイントに無線接続することを特徴とする。
【発明の効果】
【００１５】
本発明のカラオケシステム、リモコン装置、カラオケ装置によれば、複数のカラオケ装置が設置されるカラオケボックスのような使用環境において、リモコン装置を同室に設置された接続対象カラオケ装置に無線接続させることが可能となる。そのため、カラオケ装置が内蔵するアクセスポイントに対して、無線接続されるリモコン装置を分散させることが可能となり、無線接続環境の改善を図ることが可能となる。
【００１６】
さらに本発明によれば、接続対象外カラオケ装置が、探索指示を送信した接続対象カラオケ装置に対して探索完了通知を送信することで、接続対象カラオケ装置に対して、探索指示の送信を中止させることが可能となる。
【００１７】
さらに本発明によれば、解除指示に接続対象カラオケ装置の装置識別情報を含めておくことで、リモコン装置が再度、無線接続を行う際、接続対象カラオケ装置に無線接続させることが可能となる。
【図面の簡単な説明】
【００１８】
【図１】本発明の実施形態に係るカラオケシステム設置の様子を示す模式図
【図２】本発明の実施形態に係るカラオケ装置の構成を示すブロック図
【図３】本発明の実施形態に係るリモコン装置の構成を示すブロック図
【図４】本発明の実施形態に係る対応付け処理を説明するための図
【図５】本発明の実施形態に係る対応付け処理（リモコン装置）を説明するためのフロー図
【図６】本発明の実施形態に係る対応付け処理（接続対象カラオケ装置）を説明するためのフロー図
【図７】本発明の実施形態に係る対応付け処理（接続対象外カラオケ装置）を説明するためのフロー図
【図８】本発明の実施形態に係るリモコン装置の外観、並びに、対応付け開始時の画面を示す図
【発明を実施するための形態】
【００１９】
図１は、本発明の実施形態に係るカラオケシステム設置の様子を示した模式図である。この模式図は、カラオケボックスのように、複数の部屋にカラオケ装置（コマンダとも呼ばれる）２ａ〜２ｃが設置された場合の設置例となっている。なお、この設置例は、説明を簡易なものとするための設置例であって、実際のカラオケボックスでは図示された数以上の部屋が設置されることが多い。図１の設置例では、部屋Ａ〜Ｃのそれぞれにカラオケ装置２ａ〜２ｃが設置されている。また、部屋内にはカラオケ装置２ａ〜２ｃを操作可能とするリモコン装置１ａ〜１ｄが配置される。
【００２０】
各部屋に設置されたカラオケ装置２ａ〜２ｃは、有線のＬＡＮ１００に接続されることで店舗内のネットワークを構築している。また、このネットワークには、ルータ１２０が接続されている。ルータ１２０は、インターネットに接続されたサーバ装置（図示せず）等と相互に通信を行うことで、カラオケ演奏に必要とされる楽曲情報など、各種カラオケサービスに使用される情報を受信することが可能とされている。
【００２１】
本実施形態では、カラオケ装置２ａ〜２ｃは、無線ＬＡＮ通信を行うための内部アクセスポイントを内蔵している。リモコン装置１ａ〜１ｄは、無線ＬＡＮ通信部を備え、カラオケ装置２ａ〜２ｃに内蔵された内部アクセスポイントに無線接続することでネットワークに接続することを可能としている。また、リモコン装置１ａ〜１ｄは、同室内のカラオケ装置２ａ〜２ｃに対応付けされており、対応付けされたカラオケ装置２ａ〜２ｃとの間で所定の情報通信を行うことを可能としている。この対応付けについては後で詳しく説明する。
【００２２】
図２には、本発明の実施形態に係るカラオケ装置２の構成を示すブロック図が示されている。図１においては、複数のカラオケ装置２ａ〜２ｃを分けて説明するため、アルファベットの添え字ａ〜ｃを付して説明したが、ここでは添え字を省略して説明する。後で説明するリモコン装置１についても同様である。
【００２３】
カラオケ装置２は、制御手段としてのＣＰＵ（中央演算処理部）３０、メモリ２７などを有して構成されている。ＣＰＵ３０は、操作処理部２２と、赤外線通信部２３と、ＬＡＮインターフェイス２４と、音声制御部２５と、メモリ２７と、ビデオＲＡＭ２８と、映像再生部２９と、ＨＤＤ３２と、内部アクセスポイント３３と、電気的に接続されている。メモリ２７は、各種プログラムを実行するにあたって必要となる情報を一時記憶する。制御手段は、ＨＤＤ（ハードディスク）３２等の記憶手段に記憶したプログラムを読み出すことで、音声制御部１７や映像再生部２９、内部アクセスポイント３３などの周辺構成に対して、各種処理を実行することが可能である。
【００２４】
また、カラオケ装置２は、カラオケ機能として楽曲を演奏するための演奏手段として音響制御部２５を備える。音響制御部２５は、ＣＰＵ３０などの制御に基づいて、ＨＤＤ３２に記憶する楽曲情報を読み出してＭＩＤＩ音源２６などに演奏させる。この音響制御部２５は、ＭＩＤＩ音源２６で演奏による演奏音声と、マイクロホン４３から入力される歌唱音声とをミキシングしてスピーカー４２から放音させるミキシング機能も有している。
【００２５】
また、カラオケ装置２は、ユーザーからの各種入力を受け付け可能な入力手段としての操作部２１を備える。また、カラオケ装置２は、操作部２１からの入力を解釈してＣＰＵ３０に伝達する操作処理部２２を備える。また、カラオケ装置２は、各種情報を記憶する記憶手段としてのＨＤＤ３２（ハードディスク）を備える。また、カラオケ装置２は、ＬＡＮ１００に有線接続してネットワークに接続するためのＬＡＮインターフェイス２４を備えている。
【００２６】
また、カラオケ装置２は、外部モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。
【００２７】
このような構成にてカラオケ装置２は、各種処理を実行することとなるが、カラオケ装置２の主な機能として、楽曲予約処理、楽曲演奏処理、映像表示処理などを実行可能としている。楽曲予約処理は、ユーザーからの指定に基づいて楽曲を指定、予約するための処理であってリモコン装置１と連携して実行される。リモコン装置１から送信された予約情報をメモリ２７に記憶する予約テーブルに登録する。楽曲演奏処理は、予約テーブルに登録された予約情報に基づいて順次楽曲を音響制御部２５に対して演奏させる処理である。この楽曲演奏処理に同期して映像再生処理が実行される。この映像再生処理は、映像制御部３１を含んで構成される映像再生手段に対し各種映像情報、歌詞情報などを再生させ、外部モニタ４１を介した視覚情報をユーザーに提供し、歌唱補助を行う処理である。
【００２８】
本実施形態のカラオケ装置２は、外部機器と通信を行う構成として、内部アクセスポイント３３と、赤外線通信部２３を有して構成される。内部アクセスポイント３３（本発明における「アクセスポイント」）は、無線ＬＡＮ通信によって外部の各種機器と無線通信を可能とする手段である。図１に示される利用形態においては、この内部アクセスポイント３３は、リモコン装置１ａ〜１ｃなど、無線通信手段を備えた各種機器と無線通信を可能としている。本実施形態におけるカラオケ装置２は、本発明における「接続対象カラオケ装置」、あるいは、「接続対象外カラオケ装置」としての使用が考えられる。
【００２９】
また、赤外線通信部２３（本発明における「無線受信手段」）は、リモコン装置１と同室内に設置されたカラオケ装置２との対応付けを行う際、使用される通信手段であって、本実施形態では受信機能のみを有する形態となっている。なお、この赤外線通信部２３は、カラオケ装置２が接続対象カラオケ装置として使用される場合に必要とされる構成であり、接続対象外カラオケ装置として使用される場合には必ずしも設ける必要はない。なお、この赤外線通信部２３は、リモコン装置１とネットワークを介した通信ができない場合、リモコン装置１からの予約情報を受信するなど、予備的な通信手段として使用することも可能である。
【００３０】
図３には、リモコン装置１の構成を示すブロック図が示されている。リモコン装置１は、カラオケ装置２に対して予約情報など各種指示を送信するとともに、カラオケ装置２あるいはインターネット上のサーバ装置から各種情報を受信する。リモコン装置１は、リモコン側表示手段としての表示部１１と、ユーザーからの各種入力を受け付けるリモコン側入力手段としての操作部１７とを備える。
【００３１】
リモコン装置１は、リモコン装置１全体を統括して制御するための制御手段を備えて構成されている。この制御手段は、リモコン装置１の各種処理を統括して実行するＣＰＵ１５、各種処理を実行するためのプログラム、並びに、プログラム実行に伴って発生する各種情報を記憶するメモリ１４を含んで構成される。そして、リモコン装置１は、表示部１１に表示させる映像を形成する映像制御部１３、表示する映像情報を一時的に蓄えるビデオＲＡＭ１２、操作部１７からの入力を解釈してＣＰＵ１５に伝達する操作処理部１８を含んで構成されている。なお、リモコン装置１の表示部１１と操作部１７は組となってタッチパネル表示画面を形成することとしてもよい。ＣＰＵ１５は、ビデオＲＡＭ１２と、映像制御部１３と、メモリ１４と、無線ＬＡＮ通信部１６と、操作処理部１８と、赤外線通信部１９と電気的に接続される。
【００３２】
また、リモコン装置１は、カラオケ装置２などの外部機器と無線通信を行う手段として
、無線ＬＡＮ通信部１６、赤外線通信部１９を備えて構成される。無線ＬＡＮ通信部１６（本発明における「無線通信手段」）は、複数設置されたカラオケ装置２に内蔵される内部アクセスポイント３３の何れかと無線接続することで、リモコン装置１をネットワークに接続させる。
【００３３】
無線ＬＡＮ通信部１６を使用することでネットワークに無線接続されたリモコン装置１は、ネットワークを介し、対応付けされている特定のカラオケ装置２に対して予約情報など各種指示を送信可能としている。また、リモコン装置１は、カラオケ装置２あるいはインターネット上のサーバ装置などから各種情報を受信することが可能である。
【００３４】
ここでリモコン装置１とカラオケ装置２との対応付けについて説明しておく。対応付けは、別称、くくり付け、あるいは、紐付けと呼ばれ、リモコン装置１と特定のカラオケ装置２との間で楽曲の予約など、所定の情報をやりとり可能とすることを意味している。リモコン装置１とカラオケ装置２間の対応付けは、対応付け処理を実行することで行われる。通常、図１に示されるように、部屋Ａの場合には、同じ部屋で使用されるリモコン装置１ａに対してカラオケ装置２ａが対応付けされる。また、部屋Ｂのように、１つのカラオケ装置２ｂに対して複数のリモコン装置１ｂ、１ｃを対応付けることも可能である。
【００３５】
対応付け処理は、リモコン装置１側の赤外線通信部２３と、カラオケ装置２側の赤外線通信部１９間で通信を行い、個々のリモコン装置１を識別するためのリモコン識別情報（例えば、リモコン装置１の無線ＬＡＮ通信部１６を用いて、他の装置との無線ＬＡＮ通信するときに、他の装置へ通知されるリモコン装置１のＩＰアドレス）をカラオケ装置２のメモリ２７に記憶させる、あるいは、個々のカラオケ装置２を識別するためのカラオケ識別情報をリモコン装置１のメモリ１４に記憶させることなどで行うことが可能である。ネットワークに接続されたリモコン装置１は、無線ＬＡＮ通信部１６を介して各種指示をネットワーク上に送信することとなるが、対応付けられたリモコン装置２では、メモリ２７に記憶している情報に基づいて、対応付けられたリモコン装置１からの指示を選別し、予約処理など自己宛の各種処理を実行することが可能となる。
【００３６】
このようなリモコン装置１の構成により、ユーザーからの各種入力を操作部１７にて受付けるとともに、映像情報を表示部１１に表示してユーザーに対して各種情報を提供するとともに、カラオケ装置２あるいはカラオケ用ホスト５に対して楽曲予約などの各種指示を送信することが可能となっている。
【００３７】
図４には、本発明の実施形態に係る対応付け処理を説明するための図が示されている。上述したように、本実施形態のカラオケシステムでは、各カラオケ装置２ａ〜２ｃに内部アクセスポイント３３を有しているため、リモコン装置１ａ〜１ｄの使用環境下では、複数のアクセスポイント３３が存在することとなる。また、カラオケボックスなどでは、各各部屋Ａ〜Ｃで使用可能とするべく、リモコン装置１ａ〜１ｄについて、各カラオケ装置２ａ〜２ｃの内部アクセスポイント３３に対してアクセス許可を取っていることが多い。
【００３８】
また、無線ＬＡＮでは、通信速度を向上させるため電波強度の強いアクセスポイントに無線接続する方式が採用されている。このような方式では、無線ＬＡＮの電波状況によって特定の内部アクセスポイント３３にリモコン装置１ａ〜１ｄの無線接続が集中してしまう場合がある。このような無線接続の集中は、ネットワーク上の伝送速度を低下させるなどの問題を発生させる。本実施形態のカラオケシステムは、このような問題を鑑み、リモコン装置１ａ〜１ｄを、それが使用される各部屋Ａ〜Ｃに設置されたリモコン装置２ａ〜２ｃの内部アクセスポイント３３に無線接続させることで、無線接続状況を適度に分散させ、通信環境の改善を図ることとしている。
【００３９】
そのため、本実施形態では、リモコン装置１ａ〜１ｄの無線接続先が不適切な場合、対応付け処理を行う際、リモコン装置１ａ〜１ｄとカラオケ装置２ａ〜２ｃの無線接続先を変更することとしている。図４は、リモコン装置１ａの無線接続先が当初、不適切であった場合、すなわち、リモコン装置１ａが、当初、隣室の部屋Ｂのカラオケ装置２ｂに無線接続されている場合を例として示している。この図、並びに、図５〜図８に示すフロー図を用いて、カラオケシステムにおける対応付け処理の説明を行う。この図４において、対応付け処理を行うリモコン装置１ａと同室（部屋Ａ）に設置されたカラオケ装置２ａが接続対象カラオケ装置に、そして、カラオケ装置２ａ以外のカラオケ装置（ここでは、カラオケ装置２ｂのみを記載）が接続対象外カラオケ装置に相当している。
【００４０】
図５〜図８は、カラオケシステムにおける対応付け処理を示すフロー図であって、順に、リモコン装置１ａ、接続対象カラオケ装置２ａ、接続対象外カラオケ装置２ｂ（２ａ以外のカラオケ装置）における処理が示されている。
【００４１】
リモコン装置１ａでは、前述したように電波を受信した場合（Ｓ１０１：Ｙｅｓ）、電波強度の一番強いビーコン信号のアクセスポイントに無線接続する（Ｓ１０２、図４の丸１）。図４の場合、カラオケ装置２ｂの内部アクセスポイント３３に無線接続した状態となっている。
【００４２】
カラオケ装置２ａ、２ｂの内部アクセスポイント３３のビーコン信号にはアクセスポイントを識別するためのＥＳＳＩＤと、カラオケ装置２ａ、２ｂの識別情報（例えば、カラオケ装置固有の製造番号から生成したＩＰアドレスなど）とが含まれており、カラオケ識別情報として利用できる。
【００４３】
リモコン装置１は受信したビーコン信号と、認証（Ａｕｔｈｅｎｔｉｆｉｃａｔｉｏｎ）とから、カラオケ識別情報（ビーコン信号を発しているアクセスポイントのＥＳＳＩＤ、そのアクセスポイントを内蔵するカラオケ装置２ｂのＩＰアドレス）を得るとともにカラオケ装置２ｂのアクセスポイント３３への接続が完了する。
【００４４】
そして、リモコン装置１は、得られたカラオケ装置２ｂのＩＰアドレスに対して、なんらかパケットを１回送信する。送信パケットには送信先であるカラオケ装置２ｂのＩＰアドレスと、送信元であるリモコン装置１のＩＰアドレスとが含まれるので、送信パケットはカラオケ装置２ｂの内部アクセスポイント３３を介してカラオケ装置２ｂに到達する。カラオケ装置２ｂ側も、上記パケットの受信によって、自己の内部アクセスポイント３３ｂに接続しているリモコン装置１ａのリモコン識別情報（ＩＰアドレス）を特定することができる。
【００４５】
そして、カラオケ装置２ｂは、メモリ２７に用意した接続リモコンテーブル（図示せず）に、自己の内部アクセスポイント３３に接続しているリモコン装置１のリモコン識別情報を一時記憶する。  接続リモコンテーブルは、各カラオケ装置２ａのメモリ２７にも用意されている。また、カラオケ装置２ａ、２ｂに内蔵されたアクセスポイント３３のＥＳＳＩＤとカラオケ装置のＩＰアドレスは、各カラオケ装置で異なっている。
【００４６】
カラオケシステムにおける対応付け処理は、リモコン装置１ａの対応付け指示の入力（Ｓ１０３：Ｙｅｓ）を契機として開始される。図８にはリモコン装置１の外観が示されている。また、このリモコン装置１の表示部１１には、対応付けを指示するための画面が表示されている。また、表示部１１の表面にはタッチパネルで構成された操作部１７が配設されており、画面上でのタッチ操作を受け付け可能としている。ユーザが、表示部１１の画面上に表示されている「スタート」ボタンをタッチ操作することで、対応付け処理が開始される。
【００４７】
対応付け処理が開始されると、まず、リモコン装置１ａは、赤外線通信部１９から、対応付け指示の送信を実行する（Ｓ１０４、図４の丸２）。この対応付け指示には、リモコン装置１ａを識別可能なリモコン識別情報が含まれている。図６には、リモコン装置１ａと同室（部屋Ａ）に設置された接続対象カラオケ装置２ａにおける処理が示されている。対応付け指示信号は、赤外線を用いているため、壁で遮られた他室のカラオケ装置には通知されない。例えば、図４の部屋Ａのリモコン装置１ａからカラオケ装置２ａへの対応付け指示は、壁で遮られた隣室の部屋Ｂのカラオケ装置２ｂに通知されることはない。赤外線通信部２３を介して、対応付け指示を受信（Ｓ２０１：Ｙｅｓ）した接続対象カラオケ装置２ａは、受信した対応付け指示に基づいて対応付け応答を、自己の内部アクセスポイント３３を介して無線ＬＡＮでブロードキャスト送信する（Ｓ２０２）。
【００４８】
この対応付け応答は、同じ部屋に設置されているリモコン装置１ａが、アクセスポイント３３に無線接続されているかを確認するために送信される。接続対象カラオケ装置２ａは、対応付け応答をブロードキャスト送信した後、一定時間のウェイトを実行する（Ｓ２０３）。このウェイト期間中に、リモコン装置１ａから対応付け完了通知を受信できた場合、すなわち、接続対象カラオケ装置２ａの自己の内部アクセスポイント３３に、リモコン装置１ａが無線接続されている場合（Ｓ２０４）には、対応付け応答の送信を停止させて処理を終了する（Ｓ２０６）。この場合、リモコン装置１ａでは、無線ＬＡＮ通信部１６にて対応付け応答を受信し（Ｓ１０５：Ｙｅｓ）した後、接続対象カラオケ装置２ａを対応付け（Ｓ１０８）、対応付け完了通知を接続対象カラオケ装置２ａに送信して処理を終了する。対応付け完了通知が受信されるまで、接続対象カラオケ装置１ａからは継続的にブロードキャスト送信されている。
【００４９】
リモコン装置１ａと接続対象カラオケ装置２ａの対応付けは、接続対象カラオケ装置２ａのメモリ２７にリモコン装置１ａのリモコン識別情報（ＩＰアドレス）を記憶させる、もしくは、リモコン装置１ａのメモリ１４に接続対象カラオケ装置２ａのカラオケ識別情報（少なくとも、ＩＰアドレス）を記憶させる、ことの少なくとも一方を行うことで実行される。前者の場合、接続対象カラオケ装置２ａは、対応付け指示に含まれるリモコン装置１ａのリモコン識別情報を使用して実行される。また、後者の場合は、対応付け指示に接続対象カラオケ装置２ａのカラオケ識別情報を含めて送信することで実行される。
【００５０】
では、接続対象カラオケ装置２ａが、ウェイト期間中に対応付け完了通知を受信できなかった場合、すなわち、図４の例のように、にリモコン装置１ａが接続対象外カラオケ装置２ｂの内部アクセスポイント３３と無線接続されているため、リモコン装置１ａにて対応付け応答を受信できない場合について説明する。
【００５１】
ウェイト期間中（Ｓ２０３）に、接続対象カラオケ装置２ａがリモコン装置１ａから対応付け完了通知を受信できなかった場合、接続対象カラオケ装置２ａは、ＬＡＮ１００を介して接続されている他のカラオケ装置２ｂ、２ｃ（ここでは、リモコン装置１ａが無線接続されているカラオケ装置２ｂのみを使用して説明する）など、接続対象外カラオケ装置２ｂに対して、リモコン装置１ａの無線接続の有無を問う探索指示を送信する（Ｓ２０５）。本実施形態では、リモコン装置１ａのリモコン識別情報の他、接続対象カラオケ装置２ａの自己のカラオケ識別情報を探索指示に含めることとしている。
【００５２】
図７には、探索指示を受信した接続対象外カラオケ装置２ｂにおける処理が示されている。探査指示を受信した場合（Ｓ３０１：Ｙｅｓ）、接続リモコンテーブルを参照し、探索指示にて問い合わせのあったリモコン装置１ａが、当該接続対象外カラオケ装置２ｂに無線接続されているか否かが判定される（Ｓ３０２、図４の丸３）。図４の例では、リモコン装置１ａは、接続対象外カラオケ装置２ｂと無線接続されているため、接続対象外カ
ラオケ装置２ｂにて無線接続有りと判定され（Ｓ３０２：Ｙｅｓ）、他の接続対象外カラオケ装置（２ｃなど）は、無線接続無し（Ｓ３０２：Ｎｏ）と判定される。無線接続判定有りと判定した接続対象外カラオケ装置２ｂは、自己のアクセスポイント３３を使用して、無線接続されているリモコン装置１ａに対して接続解除指示を送信する（Ｓ３０３、図４の丸５）。本実施形態では、この接続解除指示に探索指示にて受信した接続対象カラオケ装置２ａのカラオケ識別情報を含めて送信し、リモコン装置１ａに無線接続先を通知することとしている。なお、接続解除指示の送信と同時に、問い合わせのあった接続対象カラオケ装置２ａに探索完了通知を送信することとしてもよい（図４の丸４）。探索完了通知を受信した接続対象カラオケ装置２ａは、他の接続対象外カラオケ装置２ｃなどへの探索指示を直ちに中断することが可能となる。
【００５３】
接続解除指示を受信した（Ｓ１０６：Ｙｅｓ）リモコン装置１は、接続解除指示に含まれる接続対象カラオケ装置２ａのカラオケ識別情報に基づいて、接続対象外カラオケ装置２ｂとの無線通信を終了し、無線通信する相手先を、現在のカラオケ装置２ｂの内部アクセスポイント３３から、他のカラオケ装置２の内部アクセスポイント３３へ変更する（Ｓ１０７、図４の丸６）。本実施形態では、接続解除指示に、接続対象カラオケ装置２ａのカラオケ識別情報が含まれているため、このカラオケ識別情報に基づいて、接続対象カラオケ装置２ａの内部アクセスポイント３３に接続先を変更することが可能となっている。
【００５４】
このような処理を経て、リモコン装置１ａは、接続対象カラオケ装置１ａと無線接続される。そして、リモコン装置１ａは、接続対象カラオケ装置１ａから継続的にブロードキャスト送信されている対応付け応答を受信（Ｓ１０５：Ｙｅｓ）して、接続対象カラオケ装置１ａとの対応付けを行い（Ｓ１０８、図４の丸７）、接続対象カラオケ装置１ａに対して対応付け完了通知を送信する（Ｓ１０９）。対応付け完了通知を受信（Ｓ２０４：Ｙｅｓ）した接続対象カラオケ装置１ａは、対応付け応答の送信を停止して処理を終了する（Ｓ２０６）。
【００５５】
本実施形態では、リモコン装置１ａにおいて内部アクセスポイント３３を変更する際、接続解除指示に含まれる接続対象カラオケ装置１ａのカラオケ識別情報を使用することとしているが、接続解除指示にこのカラオケ識別情報を含めないこととしてもよい。具体的には、リモコン装置１ａは、今まで接続されていた接続対象外カラオケ装置２ｂの内部アクセスポイント３３以外のアクセスポイントに接続を変更することを繰り返し実行することで、最終的には接続対象カラオケ装置２ａの内部アクセスポイント３３に無線接続することが可能となる。
【００５６】
このような形態では、リモコン装置１ａは、内部アクセスポイント３３を変更するときに、メモリ１４に用意してある非接続対象メモリマップ（図示せず）に、接続解除信号を受信した内部アクセスポイント３３からのビーコン信号で得たカラオケ識別情報（ＥＳＳＩＤ、もしくはＩＰアドレス）を一時記憶する。そして、リモコン装置１ａは、非接続対象メモリマップを参照することで、接続解除信号を受信した内部アクセスポイント３３からのビーコン信号を無視し、接続解除信号を受信していない内部アクセスポイント３３のビーコン信号を順次受信し、対応付け応答を受信するまでＳ１０６、Ｓ１０７の処理を繰り返す。
【００５７】
接続対象カラオケ装置２ａ側は、対応付け完了通知信号を受信するまで、対応付け応答信号を継続的に送信し続けており、また、リモコン装置１ａ側は、接続解除信号を受信したアクセスポイントに再接続することはないため、いずれリモコン装置１ａは、接続対象カラオケ装置２ａの内部アクセスポイント３３からのビーコン信号を受信できる。
【００５８】
以上、説明したように本実施形態のカラオケシステムは、内部アクセスポイント３３を
内蔵したカラオケ装置２が、互いに有線のＬＡＮで接続されている環境で、リモコン装置１がアクセスポイントを経由して同室のカラオケ装置２と無線通信を行うこととしている。本実施形態のカラオケシステムでは、リモコン装置１が他室の内部アクセスポイント３３を経由して同室のカラオケ装置２と通信（例えば、ローミング）を行うことなく、リモコン装置１を同室に設置されている接続対象カラオケ装置２ａの内部アクセスポイント３３と無線接続させることにより、複数の内部アクセスポイント３３が存在する無線通信環境下において、特定のアクセスポイントへの無線接続が集中することを抑制し、無線通信状態の良好化を図ることが可能となる。なお、カラオケ装置２に内蔵された内部アクセスポイント３３以外のアクセスポイント（外部アクセスポイント）がネットワークに接続されている場合においても、リモコン装置１は、この外部アクセスポイントを除外して無線接続を行うこととなる。
【００５９】
なお、本発明はこれらの実施形態のみに限られるものではなく、それぞれの実施形態の構成を適宜組み合わせて構成した実施形態も本発明の範疇となるものである。
【符号の説明】
【００６０】
１…リモコン装置、２…カラオケ装置（コマンダ）、１１…表示部、１２…ビデオＲＡＭ、１３…映像制御部、１４…メモリ、１５…ＣＰＵ、１６…無線ＬＡＮ通信部、１７…操作部、１８…操作処理部、１９…赤外線通信部、２１…操作部、２２…操作処理部、２３…赤外線通信部、２４…ＬＡＮインターフェイス、２５…音声制御部、２７…メモリ、２８…ビデオＲＡＭ、２９…映像再生部、３０…ＣＰＵ、３１…映像制御部、３２…ハードディスク（ＨＤＤ）、４１…外部モニタ、４２…スピーカー、４４…マイクロホン、１００…ＬＡＮ、１２０…ルータ
【図１】
0005574131.tif 000002
【図２】
0005574131.tif 000003
【図３】
0005574131.tif 000004
【図４】
0005574131.tif 000005
【図５】
0005574131.tif 000006
【図６】
0005574131.tif 000007
【図７】
0005574131.tif 000008
【図８】
0005574131.tif 000009